(57)【要約】      （修正有）【課題】ブラシ本体の先端に付着する余分な塗布液をしごき落とすことが可能である。【解決手段】塗布液を収容する容器本体１１の開口部１２に備えられる円筒状のしごき部材２０であり、しごき部材２０は、塗布ブラシを塗布液に浸して容器本体１１から外部に取り出すときに塗布ブラシに付着した余分な塗布液をしごき落とす第１のしごき部２１と、外部に取り出した塗布ブラシの先端部に付着する余分な塗布液をしごき落とす第２のしごき部２２を有する。【選択図】図３
2016154662.tif 000002
【特許請求の範囲】
【請求項１】
塗布液を収容する容器本体の開口部に備えられる円筒状のしごき部材であり、
前記しごき部材は、
塗布ブラシを塗布液に浸して前記容器本体から外部に取り出すときに前記塗布ブラシに付着した余分な塗布液をしごき落とす第１のしごき部と、
外部に取り出した前記塗布ブラシの先端部に付着する余分な塗布液をしごき落とす第２のしごき部を有することを特徴とするしごき部材。
【請求項２】
前記第１のしごき部を取出方向内側に位置させ、
前記第２のしごき部を取出方向外側に位置させ、
前記第２のしごき部によりしごき落とした余分な塗布液を、前記第１のしごき部を介して前記塗布液容器の内部に戻すことを特徴とする請求項１に記載のしごき部材。
【請求項３】
塗布液を収容する容器本体は、
塗布ブラシが出入自在な開口部を有し、
前記開口部に、請求項１または請求項２に記載のしごき部材を備えることを特徴とする塗布液容器。
【請求項４】
塗布液を塗布するための塗布ブラシを有する容器キャップと、塗布液を収容するための塗布液容器とを備え、前記塗布ブラシが前記塗布液容器内に出入自在な塗布装置であって、
前記塗布液容器は、
前記塗布ブラシが出入自在な開口部を有し、
前記開口部に、請求項１または請求項２に記載のしごき部材を備え、
前記塗布ブラシは、
前記容器キャップに設けられるブラシ軸部と、
前記ブラシ軸部に設けられるブラシ本体と、を有し、
前記ブラシ軸部にシール部を設け、
前記シール部は、
前記容器キャップが前記開口部を塞ぎシールする状態で前記しごき部材の第１のしごき部または第２のしごき部をシールすることを特徴とする塗布装置。
【請求項５】
前記ブラシ軸部の先端部に、
前記ブラシ軸部の径より大きい掻落部を設けたことを特徴とする請求項４に記載の塗布装置。
【発明の詳細な説明】
【技術分野】
【０００１】
この発明は、しごき部材及び塗布液容器並びに塗布装置に関し、特にマスカラブラシや毛染め用ブラシのように塗布対象毛にマスカラや毛染め液などの塗布液を塗布する場合に適用して好適なものである。
【背景技術】
【０００２】
従来この種の塗布ブラシとして、例えばマスカラブラシがある。マスカラブラシは、特許文献１に開示されているように、ブラシに付着させたマスカラを、まつ毛に塗布するものが用いられている。
【０００３】
このマスカラブラシＲ１は、図１７に示すように、塗布液容器Ｒ２の開口部Ｒ３から、キャップＲ４に固着されたブラシ軸部Ｒ５の先端に設けられたブラシ本体Ｒ６を出し入れすることにより、ブラシ本体Ｒ６を塗布液としてのマスカラに浸して外部に取り出すようになされている。
【０００４】
塗布液容器Ｒ２の開口部Ｒ３の内側には、柔軟性をもったゴム材でなる円筒状のしごき部材Ｒ７が設けられ、ブラシ本体Ｒ６を開口部Ｒ３から引き抜くときに、ブラシ本体Ｒ６のブラシ毛材Ｒ６Ａの周囲に付着している余分な塗布液を、小さい内径を有するしごき部材Ｒ７によってしごき落とすことにより、外部に取り出したブラシ本体６やブラシ軸部Ｒ５から塗布液をぼた落ちさせないように構成されている。
【０００５】
また、特許文献２，３に開示されているように、しごきパッキンの上面に付着する塗布液を、塗布ブラシのブラシ軸部に設けた凹凸に含ませ、塗布液が外部に漏出することがないようにしたものがある。
【先行技術文献】
【特許文献】
【０００６】
【特許文献１】特開平５−２２８０１８号公報
【特許文献２】実用新案登録第１９１３０１８号公報
【特許文献３】実用新案登録第１９１３０１９号公報
【発明の概要】
【発明が解決しようとする課題】
【０００７】
このように、ブラシ毛材Ｒ６Ａは、しごき部材Ｒ７を通るとき一旦一斉に倒れるが、しごき部材Ｒ７を通過した後は、その復元力によって起立するので、塗布液は起立したブラシ毛材Ｒ６Ａの周囲に塗布液が付着したまま残り、直接にまつ毛に接触することによりまつ毛にもったりと付着するような濃い塗布状態で塗布できる。
【０００８】
ところで、まつ毛の生え際や、下まつ毛に対する塗布など細部について塗布液を塗布することがあり、このような細部塗布では、塗布ブラシの先端で塗布するが、先端に余分な塗布液が付着しており、塗布ブラシの先端での細部塗布が困難であった。
【０００９】
また、しごき後の塗布液が塗布ブラシに多量に残留させていることでボリュウム感を有する塗布となるが、塗布ブラシに多量に残留させていることで使用後に塗布ブラシを塗布液容器の内部に戻すときに、しごきパッキンで逆しごきになって多量の塗布液がしごきパッキンの上面に溜る。この多量に溜った塗布液がブラシ軸部を汚し、ブラシ軸部の出し入れを回数重ねると回数毎に溜ってブラシ軸部またはしごきパッキンの内径に流れ落ち、流れ落ちた塗布液は塗布ブラシが塗布液容器から抜かれる時、しごき後の塗布ブラシに逆にしごき後の塗布液が付着する。また、しごきパッキンで適量の塗布液が塗布ブラシ内に残っているものの逆にしごき液が塗布ブラシに加算されていると求める量の塗布液より多くなりダマ束の大小がまつ毛に発生して大変汚い現象となるなどの問題がある。
【００１０】
この発明は、かかる点に鑑みてなされたもので、塗布ブラシの先端に付着する余分な塗布液をしごき落とすことが可能なしごき部材及び塗布液容器並びに、しごき部材に残る塗布液の漏れを防止する塗布装置を提供するものである。
【課題を解決するための手段】
【００１１】
前記課題を解決し、かつ目的を達成するために、この発明は、以下のように構成した。
【００１２】
請求項１に記載の発明は、塗布液を収容する容器本体の開口部に備えられる円筒状の  しごき部材であり、
前記しごき部材は、
塗布ブラシを塗布液に浸して前記容器本体から外部に取り出すときに前記塗布ブラシに付着した余分な塗布液をしごき落とす第１のしごき部と、
外部に取り出した前記塗布ブラシの先端部に付着する余分な塗布液をしごき落とす第２のしごき部を有することを特徴とするしごき部材である。
【００１３】
請求項２に記載の発明は、前記第１のしごき部を取出方向内側に位置させ、
前記第２のしごき部を取出方向外側に位置させ、
前記第２のしごき部によりしごき落とした余分な塗布液を、前記第１のしごき部を介して前記塗布液容器の内部に戻すことを特徴とする請求項１に記載のしごき部材である。
【００１４】
請求項３に記載の発明は、塗布液を収容する容器本体の開口部に、請求項１または請  求項２に記載のしごき部材を備えることを特徴とする塗布液容器である。
【００１５】
請求項４に記載の発明は、塗布液を塗布するための塗布ブラシを有する容器キャップ  と、塗布液を収容するための塗布液容器とを備え、前記塗布ブラシが前記塗布液容器内  に出入自在な塗布装置であって、
前記塗布液容器は、
前記塗布ブラシが出入自在な開口部を有し、
前記開口部に、請求項１または請求項２に記載のしごき部材を備え、
前記塗布ブラシは、
前記容器キャップに設けられるブラシ軸部と、
前記ブラシ軸部に設けられるブラシ本体と、を有し、
前記ブラシ軸部にシール部を設け、
前記シール部は、
前記容器キャップが前記開口部を塞ぎシールする状態で前記しごき部材の第１のしごき部または第２のしごき部をシールすることを特徴とする塗布装置である。
【００１６】
請求項５に記載の発明は、前記ブラシ軸部の先端部に、
前記ブラシ軸部の径より大きい掻落部を設けたことを特徴とする請求項４に記載の塗布装置である。
【発明の効果】
【００１７】
前記構成により、この発明は、以下のような効果を有する。
【００１８】
請求項１乃至請求項５に記載の発明では、第１のしごき部で塗布ブラシを塗布液に浸して容器本体から外部に取り出すときに塗布ブラシに付着した余分な塗布液をしごき落とし、まつ毛にもったりと付着するような濃い塗布状態で塗布できる。さらに、第２のしごき部で、外部に取り出した塗布ブラシに付着する余分な塗布液をしごき落とすことで、塗布ブラシの先端部でまつ毛の生え際や、下まつ毛に対する塗布など細部について塗布液を塗布することができる。
【００１９】
請求項４及び請求項５に記載の発明では、細部について塗布液を塗布することに加え、容器キャップが開口部を塞ぎシールする状態でしごき部材の第１のしごき部または第２のしごき部をシールすることで、しごき部材の上面に付着する塗布液が外部に漏出することがないようにすることができる。
【図面の簡単な説明】
【００２０】
【図１】しごき部材を備える塗布液容器の斜視図である。
【図２】しごき部材の平面図である。
【図３】図２のＩＩＩ−ＩＩＩ線に沿う断面図である。
【図４】液塗布具を出し入れする塗布液容器の使用状態を示す斜視図である。
【図５】第１のしごき部によるしごきを説明する図である。
【図６】第２のしごき部によるしごきを説明する図である。
【図７】しごき部材の実施の形態を示す図である。
【図８】しごき部材の実施の形態を示す図である。
【図９】しごき部材の実施の形態を示す図である。
【図１０】しごき部材の実施の形態を示す図である。
【図１１】しごき部材の実施の形態を示す図である。
【図１２】塗布ブラシの形態を説明する。
【図１３】第１の実施の形態の塗布装置の断面図である。
【図１４】しごき部材を示す図である。
【図１５】塗布ブラシを示す図である。
【図１６】第２の実施の形態の塗布装置の断面図である。
【図１７】従来の塗布装置を示す図である。
【発明を実施するための形態】
【００２１】
以下、この発明のしごき部材及び塗布液容器並びに塗布装置の実施の形態について説明する。この発明の実施の形態は、発明の最も好ましい形態を示すものであり、この発明はこれに限定されない。
【００２２】
［しごき部材及び塗布液容器］
（しごき部材及び塗布液容器の構成）
この実施の形態のしごき部材及び塗布液容器を、図１乃至図４に基づいて説明する。図１はしごき部材を備える塗布液容器の斜視図、図２はしごき部材の平面図、図３は図２のＩＩＩ−ＩＩＩ線に沿う断面図、図４は塗布ブラシを出し入れする塗布液容器の使用状態を示す斜視図である。
【００２３】
この実施の形態の塗布液容器１０は、容器本体１１に開口部１２を有し、開口部１２の内側には、柔軟性をもったゴム材でなる円筒状のしごき部材２０が設けられている。塗布ブラシ１００としてのマスカラブラシは、図４に示すように、ブラシ軸部１０２の先端に設けられたブラシ本体１０３を開口部１２から出し入れすることにより、ブラシ本体１０３を塗布液としてのマスカラに浸して外部に取り出すように使用される。
【００２４】
ブラシ本体１０３を開口部１２から引き抜くときに、ブラシ本体１０３の周囲に付着している余分な塗布液を、小さい内径を有するしごき部材２０によってしごき落とすことにより、容器本体１１から外部に取り出したブラシ本体１０３やブラシ軸部１０２から塗布液をぼた落ちさせないように構成されている。
【００２５】
この実施の形態のしごき部材２０は、図２及び図３に示すように、胴部２５に下側鍔２３と上側鍔２４が形成され、この下側鍔２３と上側鍔２４により胴部２５を取出口１２の内側に嵌め込んで取り付けられる。
【００２６】
このしごき部材２０は、塗布ブラシ１００のブラシ本体１０３を塗布液に浸して容器本体１１から外部に取り出すときにブラシ本体１０３に付着した余分な塗布液をしごき落とす第１のしごき部２１と、外部に取り出したブラシ本体１０３の先端部に付着する余分な塗布液をしごき落とす第２のしごき部２２を有する。
【００２７】
第１のしごき部２１は、胴部２５の下部に形成され、開口部１２に取り付けた状態で先端側が容器本体１１の内方に向く円錐部２１ａに、先端中央部にしごき孔２１ｂを形成した構成である。しごき孔２１ｂは、円形形状であり、塗布ブラシ１００のブラシ本体１０３を塗布液に浸して容器本体１１の外部に取り出すときにブラシ本体１０３に付着した余分な塗布液をしごき落とすことができる形状である。
【００２８】
第２のしごき部２２は、胴部２５の上部に形成され、内向き鍔２２ａの４箇所に、しごき凹み部２２ｂを形成した構成である。この実施の形態では、しごき凹み部２２ｂを４箇所に形成しているがこれに限定されず、１箇所でも複数個所でもよい。しごき凹み部２２ｂは、内側連通部２２ｂ１を有し、ブラシ本体１０３の先端部を内側連通部２２ｂ１からしごき凹み部２２ｂに導き入れ、先端部に付着する余分な塗布液をしごき落とすことができる形状である。
【００２９】
第１のしごき部２１を取出方向内側に位置させ、第２のしごき部２２を取出方向外側に位置させており、第１のしごき部２１によりしごき落とした余分な塗布液を容器本体１１の内部に戻すことができる。また、第２のしごき部２２によりしごき落とした余分な塗布液は、第１のしごき部２１の上に落下し、第１のしごき部２１を介して容器本体１１の内部に戻すことができる。
【００３０】
（しごき部材のしごき）
次に、しごき部材２０のしごきを、図５及び図６に基づいて説明する。図５は第１のしごき部によるしごきを説明する図、図６は第２のしごき部によるしごきを説明する図である。
【００３１】
この実施の形態のブラシ本体１０３は、芯材１０３ａに多数のブラシ毛材１０３ｂを放射方向に外方に延長するように植毛された構成であり、第１のしごき部２１では、図５に示すように、しごき孔２１ｂの径Ｄ１１がブラシ本体１０３の径１２より小径に形成されており、ブラシ本体１０３を塗布液に浸して外部に取り出すときにブラシ本体１０３がしごき孔２１ｂを通過するときに、しごき孔２１ｂによってブラシ本体１０３に付着した余分な塗布液をしごき落とす。ブラシ本体１０３には、しごき孔２１ｂによってしごかれた部分に塗布液が少量になり、しごき孔２１ｂによってしごかれない部分に塗布液が多量に残る。
【００３２】
第２のしごき部２２では、図６に示すように、しごき凹み部２２ｂの径Ｄ２１がブラシ本体１０３のしごき径２２より小径に形成されており、ブラシ本体１０３の先端部を内側連通部２２ｂ１からしごき孔２２ｂに導き入れ、先端部に付着する余分な塗布液をしごき落とす。ブラシ本体１０３の先端部には、しごき凹み部２２ｂによってしごかれた部分に塗布液が少量になり、しごき凹み部２２ｂによってしごかれない部分に塗布液が多量に残る。
【００３３】
使用者は、第２のしごき部２２によってしごき後ブラシ本体１０３の先端部を見ながらしごき孔２２ｂに導き入れ、「ブラシ内の含み量」や「毛のバラケを整えたり」することができる。また、先端部に付着する余分な塗布液をしごき落とし、しごき後の塗布液を付着させて戻したりの繰り返し、この微調整で自分の好みの効果を任意に得ることができる。
【００３４】
（しごき部材の他の実施の形態）
次に、しごき部材の他の実施の形態を、図７乃至図１１に基づいて説明する。図７の実施の形態では、第２のしごき部２２がしごき部材２０の中間部に形成され、図８及び図９の実施の形態では、第１のしごき部２１に第２のしごき部２２を重ねて設けられている。
【００３５】
図１０は第２のしごき部２２のしごき凹み部２２ｂの実施の形態を示しており、第１のしごき部２１は図１乃至図９の実施の形態と同様に構成される。図１０（ａ）の実施では、しごき凹み部２２ｂがＵ字状で円周上に多数形成され、図１０（ｂ）の実施では、しごき凹み部２２ｂがＶ字状で円周上に多数形成される。図１０（ｃ）の実施では、しごき凹み部２２ｂがＵ字状で円周上の１箇所に形成され、図１０（ｄ）の実施では、しごき凹み部２２ｂがＵ字状で円周上の複数箇所に大きさを変えて形成され、例えば大、中、小、小で示す。図１０（ｅ）の実施では、しごき凹み部２２ｂがスリットで円周上の複数箇所に形成され、図１０（ｆ）の実施では、しごき凹み部２２ｂがスリットで円周上の２箇所の対象位置に形成され、図１０（ｇ）の実施では、しごき凹み部２２ｂがスリットに連続した円形孔で円周上の４箇所の対象位置に形成される。図１１の実施の形態は、しごき部材２０の胴部２５を肉厚にし、この胴部２５の４箇所にしごき凹み部２２ｂが、上部から中央部かけた凹みによって形成される。
【００３６】
（塗布ブラシの形態）
次に、使用される塗布ブラシの形態を、図１２に基づいて説明する。図１２（ａ）乃至図１２（ｈ）は、マスカラの塗布に使用され、図１２（ａ）は通常用いられるもので先端が先細り、図１２（ｂ）は先端がケバケバのフロッキー、図１２（ｃ）は先端が歯間冠ブラシ、図１２（ｄ）は先端が成形コーム、図１２（ｅ）は一体成形で先端が溝、図１２（ｆ）は一体成形の櫛で先端が小さい櫛、図１２（ｇ）は一体成形の溝で先端が成形コーム、図１２（ｈ）は一体成形のブラシで先端が先細りである。
【００３７】
図１２（ｉ）乃至図１２（ｎ）は、マスカラ以外の塗布に使用され、図１２（ｉ）はアイライナーブラシ、図１２（ｊ）はアイブローブラシ、図１２（ｋ）はアイシャドウーフロッキー、図１２（ｌ）はリップブラシ、図１２（ｍ）はリップフロッキー、図１２（ｎ）はマニキュアブラシである。
【００３８】
［塗布装置］
（第１の実施の形態）
第１の実施の形態の塗布装置を、図１３乃至図１５に基づいて説明する。図１３は塗布装置の断面図、図１４はしごき部材を示す図、図１５は塗布ブラシを示す図である。
【００３９】
この実施の形態の塗布装置５０は、塗布液を塗布するための塗布ブラシ６０を有する容器キャップ７０と、塗布液を収容するための塗布液容器８０とを備え、塗布ブラシ６０が塗布液容器８０内に出入自在である。
【００４０】
塗布液容器８０は、塗布ブラシ６０が出入自在な開口部８１を有し、開口部８１に、しごき部材２０を備える。しごき部材２０は、第１のしごき部２１と、第２のしごき部２２を有し、図２及び図３の実施の形態と同様に形成されるが、第１のしごき部２１には対称位置に一対のスリット２１ｇが形成されている。
【００４１】
塗布ブラシ６０は、ブラシ軸部６１とブラシ本体６２とを有する。ブラシ本体６２は、芯材６２ａに多数のブラシ毛材６２３ｂを放射方向に外方に延長するように植毛された構成である。ブラシ軸部６１の基部６１ａが容器キャップ７０に取り付けられ、先端部６１ｂにはブラシ本体６２が設けられている。ブラシ本体６２は先端側が先細りになっている。ブラシ軸部６１の先端部６１ｂには、ブラシ軸部６１の径より大きい掻落部６１ｅが設けられている。
【００４２】
ブラシ軸部６１には、シール部６１ｃが設けられ、シール部６１ｃはブラシ軸部６１の径より大きく形成され、さらにシール部６１ｃの先端側は小径部６１ｄが形成されている。シール部６１ｃは、容器キャップ７０が開口部８１を塞ぎシールする状態では、図１３に示すように、しごき部材２０の第１のしごき部２１をシールし、塗布液が外部に漏れないようになっている。
【００４３】
この塗布装置５０の使用は、容器キャップ７０を塗布液容器８０から取り外し、塗布ブラシ６０のブラシ本体６２を開口部８１から引き抜くが、この引き抜くときに、ブラシ本体６２のブラシ毛材の周囲に付着している余分な塗布液を、小さい内径を有する第１のしごき部２１によってしごき落とすことにより、外部に取り出したブラシ本体６２やブラシ軸部６１から塗布液をぼた落ちさせない。このように、余分な塗布液をしごき落とし、まつ毛にもったりと付着するような濃い塗布状態で塗布できる。
【００４４】
第２のしごき部２２では、塗布ブラシ６０ブラシ本体６２の先端部に付着する余分な塗布液をしごき落とし、ブラシ本体６２の先端部でまつ毛の生え際や、下まつ毛に対する塗布など細部について塗布液を塗布することができる。
【００４５】
塗布ブラシ６０を使用して塗布した後に、ブラシ本体６２をしごき部材２０から塗布液容器８０の内部に挿入し、容器キャップ７０を塗布液容器８０の開口部８１に螺着するが、このときブラシ軸部６１の掻落部６１ｅによってしごき後に第２のしごき部２２の上面に付着する塗布液を確実に掻き落すことができる。また、容器キャップ７０を塗布液容器８０の開口部８１に螺着し、容器キャップ７０が開口部８１を塞ぎシールする状態では、シール部６１ｃが第１のしごき部２１をシールし、塗布液が外部に漏れないようになっている。
【００４６】
ブラシ軸部６１の先端部６１ｂには、図１５（ａ）に示すように、別体に形成されたブラシ軸部６１の径より大きい掻落部６１ｅを固定して設けてもよく、また図１５（ｂ）に示すように、ブラシ軸部６１の全体の径を大径にしてもよく、ブラシ軸部６１のしごき後の第１のしごき部２１の上面に付着する塗布液を確実に掻き落すことができる。
【００４７】
このように、しごき後の塗布液が塗布ブラシ６０に多量に残留させていることでボリュウム感を有する塗布となるが、塗布ブラシ６０に多量に残留させていることで使用後に塗布ブラシ６０を塗布液容器８０の内部に戻すときに、第１のしごき部２１によって逆にしごきになって多量の塗布液が第１のしごき部２１の上面に溜ることがない。このため、再度の使用の際に、塗布ブラシ６０が塗布液容器８０から抜かれる時、しごき後の塗布ブラシに逆にしごき後の塗布液が付着することがない。
【００４８】
また、使用後に塗布ブラシ６０を塗布液容器８０の内部に戻すときに、第１のしごき部２１によって逆にしごきになって多量の塗布液が生じるが、この塗布液はしごき部材２０の上面に溜ることがなく、ブラシ軸部６１の掻落部６１ｅで押されて第１のしごき部２１の上面を擦りながら掻き押圧されて塗布液容器８０の内部に押し込まれる。ブラシ軸部６１及びブラシ本体６２の容積分が塗布液容器８０の内部に入ることで内部圧力が高くなり、内圧が高くなると第１のしごき部２１の一対のスリット２１ｇによって圧力が逃がすことができる。
【００４９】
したがって、塗布液容器８０の開口部８１としごき部材２０の間から圧力が逃げないように密閉され、またブラシ軸部６１と第１のしごき部２１の接する部分から圧力が逃げないように密閉されていても、塗布ブラシ６０が内圧に押されて容器キャップ７０の方向に浮き上がることがなく、容器キャップ７０を簡単、確実に塗布液容器８０の開口部８１に螺着することができる。
【００５０】
（第２の実施の形態）
第２の実施の形態の塗布装置を、図１６に基づいて説明する。図１６は塗布装置の断面図である。
【００５１】
この実施の形態の塗布装置５０は、図１３乃至図１５の第１の実施の形態と同様に構成されるが、この実施の形態ではブラシ軸部６１にシール部６１ｆがブラシ軸部６１の径より大きく形成され、さらにシール部６１ｆの先端側は凸部６１ｇが形成されている。シール部６１ｆは、容器キャップ７０が開口部８１を塞ぎシールする状態では、しごき部材２０の第２のしごき部２２をシールし、塗布液が外部に漏れないようになっており、凸部６１ｇが第１のしごき部２１を通過した位置である。
【００５２】
この塗布装置５０の使用は、容器キャップ７０を塗布液容器８０から取り外し、塗布ブラシ６０のブラシ本体６２を開口部８１から引き抜くが、この引き抜くときに、凸部６１ｇが第１のしごき部２１を通過してブラシ本体６２のブラシ毛材の周囲に付着している余分な塗布液を、第１のしごき部２１によってしごき落とすことにより、ブラシ本体６２やブラシ軸部６１から塗布液をぼた落ちさせない。第２のしごき部２２では、塗布ブラシ６０ブラシ本体６２の先端部に付着する余分な塗布液をしごき落とす。
【００５３】
塗布ブラシ６０を使用して塗布した後に、ブラシ本体６２をしごき部材２０から塗布液容器８０の内部に挿入し、容器キャップ７０を塗布液容器８０の開口部８１に螺着するが、このときブラシ軸部６１の掻落部６１ｅと凸部６１ｇによってしごき後に第２のしごき部２２の上面に付着する塗布液を確実に掻き落すことができる。また、容器キャップ７０を塗布液容器８０の開口部８１に螺着し、容器キャップ７０が開口部８１を塞ぎシールする状態では、シール部６１ｆが第２のしごき部２２をシールし、塗布液が外部に漏れないようになっている。
【００５４】
この第１の実施の形態及び第２の実施の形態の塗布装置では、図１乃至図１２に示すしごき部材及び塗布ブラシを用いることができる。
【産業上の利用可能性】
【００５５】
この発明は、マスカラブラシや毛染め用ブラシのように塗布対象毛にマスカラや毛染め液などの塗布液を塗布する場合に適用して好適なしごき部材及び塗布液容器並びに塗布装置に適用可能であり、ブラシ本体の先端に付着する余分な塗布液をしごき落とすことが可能である。
【符号の説明】
【００５６】
１０  塗布液容器
１１  容器本体
１２  開口部
２０  しごき部材
２１  第１のしごき部
２１ａ  円錐部
２１ｂ  しごき孔
２２  第２のしごき部
２２ａ  内向き鍔
２２ｂ  しごき凹み部
２２ｂ１  内側連通部
２３  下側鍔
２４  上側額
２５  胴部
５０  塗布装置
６０  塗布ブラシ
６１  ブラシ軸部
６１ａ  ブラシ軸部６１の基部
６１ｂ  ブラシ軸部６１の先端部
６１ｃ，６１ｆ  シール部
６１ｄ  小径部
６１ｅ  掻落部
６１ｇ  凸部
６２  ブラシ本体
７０  容器キャップ
８０  塗布液容器
８１  開口部
１００  塗布ブラシ
１０１  キャップ
１０２  シャフト
１０３  ブラシ本体
【図１】
2016154662.tif 000003
【図２】
2016154662.tif 000004
【図３】
2016154662.tif 000005
【図４】
2016154662.tif 000006
【図５】
2016154662.tif 000007
【図６】
2016154662.tif 000008
【図７】
2016154662.tif 000009
【図８】
2016154662.tif 000010
【図９】
2016154662.tif 000011
【図１０】
2016154662.tif 000012
【図１１】
2016154662.tif 000013
【図１２】
2016154662.tif 000014
【図１３】
2016154662.tif 000015
【図１４】
2016154662.tif 000016
【図１５】
2016154662.tif 000017
【図１６】
2016154662.tif 000018
【図１７】
2016154662.tif 000019